(57)【要約】【課題】  従来のカメラでは、被写体の大きさを正確に測定できず、また、被写体の表示画面にスケールを表示させようとすると、撮影時のカメラ操作が煩わしくなってしまう。【解決手段】  ＣＰＵ４は、撮影画像の再生表示が開始されると（Ｓ１１）、記録媒体１７から読み出した撮影情報に含まれる被写体２１の半画角θおよび撮影距離ｆ’に基づいて、撮像素子２における撮影画像の単位記録画素当たりの被写体２１のサイズを算出する（Ｓ１２，Ｓ１３）。続いて、算出した撮影画像の単位記録画素当たりの被写体２１のサイズを、液晶モニタ７における再生時の撮影画像の単位表示画素当たりのサイズに変換する処理を行う（Ｓ１４）。続いて、十字キーに対する操作によって、液晶モニタ７に再生表示される撮影画像の任意の２点の位置が指定されると、指定された２点間の撮影時の被写体２１のサイズＬＡＢを算出する（Ｓ１５，Ｓ１６）。【選択図】  図５
2010050597.tif 000002
【特許請求の範囲】
【請求項１】
撮像レンズのレンズ位置から得られる、被写体とこの被写体が前記撮像レンズを介して投影される撮像素子との間の撮影距離、および前記撮像レンズによって前記撮像素子に投影される前記被写体の画角に基づいて、前記撮像素子に投影される前記被写体のサイズを算出する被写体サイズ算出手段と、
この被写体サイズ算出手段によって算出される前記被写体のサイズを、前記被写体が投影された前記撮像素子の記録画素数で除して、前記撮像素子の単位記録画素当たりの被写体サイズを算出する単位サイズ算出手段と、
この単位サイズ算出手段によって算出される単位記録画素当たりの被写体サイズの情報、または、前記単位サイズ算出手段による単位記録画素当たりの被写体サイズの算出に必要な情報を、前記撮像素子に投影された前記被写体の撮影画像と共に記録する記録手段と
を備えていることを特徴とするデジタルカメラ。
【請求項２】
前記撮像素子によって撮影された前記被写体の撮影画像を電子処理により拡大する電子ズーム手段を備え、
前記単位サイズ算出手段は、前記被写体サイズ算出手段によって算出される前記被写体のサイズを、前記被写体が投影された前記撮像素子の記録画素数で除したものを、前記電子ズーム手段により拡大される前記被写体の撮影画像の拡大倍率でさらに除して、前記撮像素子の単位記録画素当たりの被写体サイズを算出することを特徴とする請求項１に記載のデジタルカメラ。
【請求項３】
前記撮像素子によって撮影された前記被写体の撮影画像を所定の表示画素サイズで再生表示する再生表示手段と、
この再生表示手段の表示画素サイズの前記撮像素子の記録画素サイズに対する比に、前記記録手段に記録された単位記録画素当たりの被写体サイズ、または、前記記録手段に記録された単位記録画素当たりの被写体サイズの算出に必要な情報を基に前記単位サイズ算出手段によって算出される単位記録画素当たりの被写体サイズを乗じて、前記再生表示手段の単位表示画素当たりの表示サイズを算出する表示サイズ算出手段と
を備えていることを特徴とする請求項１または請求項２に記載のデジタルカメラ。
【請求項４】
前記再生表示手段によって再生表示される前記被写体の撮影画像の任意の２点を指定する指定手段と、
この指定手段によって指定された２点間の表示画素数に、前記表示サイズ算出手段によって算出される単位表示画素当たりの表示サイズを乗じて、前記指定手段によって指定された２点間のサイズを算出する２点間サイズ算出手段と、
この２点間サイズ算出手段によって算出されたサイズを前記再生表示手段に表示させる表示手段と
を備えていることを特徴とする請求項３に記載のデジタルカメラ。
【発明の詳細な説明】
【技術分野】
【０００１】
本発明は、被写体を撮像レンズによって撮像素子に投影して撮像するデジタルカメラに関するものである。
【背景技術】
【０００２】
従来、この種のデジタルカメラでは、釣った魚などの被写体の大きさを撮影した写真において表すため、タバコの箱やメジャーといった大きさの分かる比較物を被写体と一緒に撮影する工夫が行われていた。撮影者以外の者が後で写真を見たときには、比較物と対比することによって被写体の大きさが判別できる。
【０００３】
また、下記の特許文献１には、撮影時に被写体の大きさを判別できる機能を備えたカメラが開示されている。このカメラでは、撮影時にスケール（目盛り）が撮像（スルー）画像と共に液晶表示部の表示画面に表示される。このスケールにより、被写体に焦点が合ったときの被写体の縦方向や横方向などの実寸を測定することができ、表示画面中の被写体のサイズを判別できる。また、このカメラでは、被写体に焦点が合った状態で、表示画面に表示されている被写体に対して手動または自動で複数の点を指定することにより、指定された複数の点の間の長さが測定される。測定結果は、表示画面に表示されると共に、メモリに記録される。
【特許文献１】特開２００５−１４２９３８号公報（段落[００８４]〜[００９４]，[００９９]〜[０１１５]，[０１１８]〜[０１２６]）
【発明の開示】
【発明が解決しようとする課題】
【０００４】
しかしながら、タバコの箱やメジャーといった比較物を被写体と一緒に撮影する上記従来の撮影の工夫では、被写体のおおまかな大きさを判別することはできるが、その計測精度は低いものとなってしまう。このため、例えば魚の大きさを厳密に比較することができなかった。
【０００５】
また、特許文献１に開示された上記従来のカメラでは、表示画面にスケール（目盛り）をカメラ機能によって表示させるためには、スケール表示のＯＮ／ＯＦＦの設定操作を撮影時に行わなければならず、撮影時のカメラ操作が煩わしいものになっていた。また、複数の点の間の長さを測定して測定結果を表示画面に表示させるのにも、撮影時に、表示画面上で複数の点の指定を行う必要があるため、撮影時のカメラ操作がやはり煩わしいものになっていた。また、複数の点の指定によって測定される長さは、表示画素の粗いスルー画像におけるものであるため、正確なものではなかった。さらに、測定することのできる長さが、撮影時に複数の点で指定されたものに限られ、撮影後に被写体の他の箇所の長さや他の被写体の長さを測定することができず、融通性に欠けていた。
【課題を解決するための手段】
【０００６】
本発明はこのような課題を解決するためになされたもので、
撮像レンズのレンズ位置から得られる、被写体とこの被写体が撮像レンズを介して投影される撮像素子との間の撮影距離、および撮像レンズによって撮像素子に投影される被写体の画角に基づいて、撮像素子に投影される被写体のサイズを算出する被写体サイズ算出手段と、
この被写体サイズ算出手段によって算出される被写体のサイズを、被写体が投影された撮像素子の記録画素数で除して、撮像素子の単位記録画素当たりの被写体サイズを算出する単位サイズ算出手段と、
この単位サイズ算出手段によって算出される単位記録画素当たりの被写体サイズの情報、または、単位サイズ算出手段による単位記録画素当たりの被写体サイズの算出に必要な情報を、撮像素子に投影された被写体の撮影画像と共に記録する記録手段と
を備えてデジタルカメラを構成した。
【０００７】
この構成によれば、撮像レンズのレンズ位置から、被写体と撮像素子との間の撮影距離、および被写体の画角が得られ、これら撮影距離および画角に基づいて被写体サイズ算出手段により被写体のサイズが算出される。算出された被写体のサイズは、単位サイズ算出手段により、被写体が投影された撮像素子の記録画素数で除され、撮像素子の単位記録画素当たりの被写体サイズが算出される。算出された単位記録画素当たりの被写体サイズの情報、または、単位記録画素当たりの被写体サイズの算出に必要な情報は、撮像素子に投影された被写体の撮影画像と共に記録手段によって記録される。このため、被写体の撮影画像を再生表示するときに、記録手段によって記録されたいずれかの上記情報に基づいて、単位記録画素当たりの被写体サイズから被写体のサイズを正確に算出することが可能となる。よって、従来の、比較物と被写体とを一緒に撮影して、比較物との対比のうえで被写体のサイズを把握する場合や、スルー画像において指定された点間の長さが測定される場合に比べて、被写体のサイズを高い精度で測定することができるようになる。また、撮影時には、各手段による各処理がカメラ機能として行われ、撮影者は、従来のカメラのように、スケール（目盛り）を表示させるＯＮ／ＯＦＦの設定操作や、複数の点を指定する操作などのカメラ操作を行う必要がないため、撮影時の操作が煩わしくなってしまうことが防止される。
【０００８】
また、本発明は、
撮像素子によって撮影された被写体の撮影画像を電子処理により拡大する電子ズーム手段を備え、
単位サイズ算出手段が、被写体サイズ算出手段によって算出される被写体のサイズを、被写体が投影された撮像素子の記録画素数で除したものを、電子ズーム手段により拡大される被写体の撮影画像の拡大倍率でさらに除して、撮像素子の単位記録画素当たりの被写体サイズを算出することを特徴とする。
【０００９】
この構成によれば、電子ズーム手段により被写体の撮影画像が拡大される場合には、被写体サイズ算出手段によって算出される被写体のサイズを撮像素子の記録画素数で除したものを、電子ズーム手段の拡大倍率でさらに除することで、撮像素子の単位記録画素当たりの被写体サイズが算出される。このため、電子ズーム手段により被写体の撮影画像が拡大される場合にも、撮像素子の単位記録画素当たりの被写体サイズが正確に算出される。
【００１０】
また、本発明は、
撮像素子によって撮影された被写体の撮影画像を所定の表示画素サイズで再生表示する再生表示手段と、
この再生表示手段の表示画素サイズの撮像素子の記録画素サイズに対する比に、記録手段に記録された単位記録画素当たりの被写体サイズ、または、記録手段に記録された単位記録画素当たりの被写体サイズの算出に必要な情報を基に単位サイズ算出手段によって算出される単位記録画素当たりの被写体サイズを乗じて、再生表示手段の単位表示画素当たりの表示サイズを算出する表示サイズ算出手段と
を備えていることを特徴とする。
【００１１】
この構成によれば、表示サイズ算出手段により、表示画素サイズの記録画素サイズに対する比に、単位サイズ算出手段によって算出される単位記録画素当たりの被写体サイズを乗じることで、再生表示手段の単位表示画素当たりの表示サイズが算出される。
このため、再生表示手段によって再生表示される撮影画像中における被写体のサイズを、表示サイズ算出手段によって算出された単位表示画素当たりの表示サイズに基づいて、算出することが可能となる。また、再生表示手段により撮影画像が再生表示されているときに、表示サイズ算出手段により算出される単位表示画素当たりの表示サイズに基づいて、再生表示される撮影画像にスケールや被写体のサイズの情報を表示させたりするなどして、再生表示画像を見る者の好みに合わせた表示画像にすることが可能になる。
【００１２】
また、本発明は、
再生表示手段によって再生表示される被写体の撮影画像の任意の２点を指定する指定手段と、
この指定手段によって指定された２点間の表示画素数に、表示サイズ算出手段によって算出される単位表示画素当たりの表示サイズを乗じて、指定手段によって指定された２点間のサイズを算出する２点間サイズ算出手段と、
この２点間サイズ算出手段によって算出されたサイズを再生表示手段に表示させる表示手段と
を備えていることを特徴とする。
【００１３】
この構成によれば、指定手段によって指定された撮影画像の任意の２点間の表示画素数に、撮像素子の単位記録画素当たりの被写体サイズを基に表示サイズ算出手段によって算出される単位表示画素当たりの表示サイズを乗じることで、指定手段によって指定された２点間の被写体のサイズが２点間サイズ算出手段によって算出される。算出された２点間の被写体のサイズは、表示手段によって再生表示手段に表示させられる。このため、被写体の任意の２点間のサイズは、撮像素子の単位記録画素当たりの被写体サイズを基に算出されるため、従来のスルー画像で指定された長さが測定される場合よりも正確に算出されるようになる。また、撮影画像の再生時に任意の２点を指定するため、測定する被写体の箇所および種類は従来のカメラのように限定されず、所望の被写体の所望の任意の２点間のサイズを測定することが可能である。
【００１４】
また、再生表示手段によって再生表示される被写体の撮影画像を拡大する機能を有する場合には、単位表示画素当たりの表示サイズが拡大表示の表示倍率に応じて小さくなる。このため、この拡大機能により被写体の撮影画像が拡大された状態では、撮影画像を拡大しない場合に比べて、指定手段により任意の２点を細かく指定することができると共に、２点間サイズ算出手段により算出される表示サイズの精度を向上させることが可能になる。また、指定手段としてタッチパネルが用いられる場合には、再生表示画像を見る者は、撮影画像の所望の２点間を結ぶ曲線経路も指定でき、所望の２点間の直線距離だけでなく、２点間の曲線経路の距離をも測定することができる。よって、撮影画像の２点間の種々の経路に沿う被写体サイズを容易に得ることが可能になる。
【発明の効果】
【００１５】
本発明によるデジタルカメラによれば、上記のように、従来の、比較物と被写体とを一緒に撮影して、比較物との対比のうえで被写体のサイズを把握する場合や、スルー画像において指定された点間の長さが測定される場合に比べて、被写体のサイズを高い精度で測定することができるようになる。また、撮影時に、撮影者は、従来のカメラのようなカメラ操作を行う必要がないため、撮影時の操作が煩わしくなってしまうことが防止される。
【発明を実施するための最良の形態】
【００１６】
次に、本発明を実施するための最良の形態によるデジタルカメラについて説明する。
【００１７】
図１は、本実施形態によるデジタルカメラの構成を示すブロック図である。
【００１８】
本実施形態におけるデジタルカメラは、ズームレンズ１１およびフォーカスレンズ１２からなる光学レンズ系１、撮像素子２、Ａ／Ｄ変換部３、ＣＰＵ（中央演算処理部）４、画像処理部５、バッファメモリ６、液晶モニタ７ならびにＩ／Ｆ部（インターフェース部）８を備えて構成されている。Ａ／Ｄ変換部３、ＣＰＵ４、画像処理部５、バッファメモリ６、液晶モニタ７およびＩ／Ｆ部８は、それぞれバス９に接続されている。また、ＣＰＵ４には、撮影する際に撮影者により押圧操作されるレリーズボタン（シャッターボタン）、光学ズーム機能を使用する際に操作されるズームボタン、および種々の操作に用いられる十字キーなどからなる操作部１０が接続されている。
【００１９】
ズームレンズ１１およびフォーカスレンズ１２を介して導かれた光は、撮像素子２の受光面２ａ上に被写体の画像を投影する。ズームレンズ１１およびフォーカスレンズ１２は、ＣＰＵ４に接続されたステッピングモータ１４，１６がＣＰＵ４の制御によってそれぞれ駆動されて、矢示するように光軸上を前後に移動する。ズームレンズ１１が光軸上を移動することにより、撮像素子２の受光面２ａ上に投影される被写体の画像は拡大または縮小され、光学ズームの拡大倍率が調節される。また、フォーカスレンズ１２が光軸上を移動することにより、撮像素子２の受光面２ａ上に投影される被写体像のピントが調節される。ステッピングモータ１４，１６によって移動した各レンズ１１，１２の光軸上の位置は、各レンズ１１，１２に接続された位置検出部１３，１５により検出されて、ＣＰＵ４に出力される。
【００２０】
撮像素子２は、ＣＣＤ（Charge Coupled Device）やＣＭＯＳ（Complementary Metal Oxide Semiconductor）などからなる。光学レンズ系１によってこの撮像素子２の受光面２ａ上に結像した被写体像はアナログの撮像信号に変換され、変換された撮像信号は、Ａ／Ｄ変換部３においてデジタル信号に変換される。画像処理部５は、Ａ／Ｄ変換部３でデジタル信号に変換された撮像信号に対して、ホワイトバランス処理やガンマ補正、圧縮処理などの画像処理を行い、撮影された画像の画像データを生成する。また、画像処理部５は、撮像素子２によって撮影された被写体の撮影画像を電子処理により拡大する電子ズーム手段を構成している。本実施形態によるデジタルカメラは、上述したズームレンズ１１による光学ズーム機能に加え、画像処理部５における電子ズーム処理によって被写体像を拡大するズーム機能を備えている。画像処理部５によって生成された画像データは、ＣＰＵ４により、バッファメモリ６に格納されると共に、Ｉ／Ｆ部８を介してＳＤカードやコンパクトフラッシュ（登録商標）などの取り外しが自由に行える記録媒体１７に記録される。また、ＣＰＵ４は、記録媒体１７に記録された画像データに基づいて、操作部１０に対する撮影者の操作に従い、撮影画像を液晶モニタ７に表示させる。液晶モニタ７には、撮影画像だけでなく、デジタルカメラの操作情報なども表示される。
【００２１】
図２（ａ）は、液晶モニタ７の表示面の概略構成を示す図であり、同図（ｂ）は、撮像素子２の受光面２ａの概略構成を示す図である。
【００２２】
液晶モニタ７は、同図（ａ）に示すように、例えば、表示画素４１が縦方向に４８０個，横方向に６４０個配列されたＶＧＡ液晶で構成されており、最大で６４０ｐｘ（ピクセル）×４８０ｐｘの解像度の画像を表示する。各表示画素４１は、縦方向および横方向にａ１およびｂ１の一定の間隔（ピッチ）で配列されている。液晶モニタ７は、撮像素子２によって撮影された被写体の撮影画像を所定の表示画素サイズ、例えば６４０ｐｘ×４８０ｐｘや３２０ｐｘ×２４０ｐｘなどの表示画素サイズで再生表示する再生表示手段を構成している。
【００２３】
また、同図（ｂ）に示すように、撮像素子２の受光面２ａには、例えば、記録画素４２が縦方向に２０００個，横方向に４０００個配列されており、最大で８Ｍ（４０００×２０００）の解像度の画像が撮像される。各記録画素４２は、縦方向および横方向にａ２およびｂ２の一定の間隔（ピッチ）で配列されている。
【００２４】
図３は、被写体２１が光学レンズ系１を介して撮像素子２に投影された状態を概念的に示した概略図である。
【００２５】
同図に示すように、３人の人物２１Ａ，２１Ｂ，２１Ｃで構成される被写体２１は、光学レンズ系１を介して撮像素子２の受光面２ａに投影されており、ピントが合った状態になっている。この状態で、焦点距離はｆ、被写体２１の画角の半分はθとなっている。また、撮像素子２の受光面の一辺のサイズ（長さ）はＬ、被写体２１のサイズはＬ’であり、被写体２１と光学レンズ系１との間の撮影距離は、ｆ’となっている。
【００２６】
このとき、被写体２１のサイズＬ’、撮影距離ｆ’および被写体２１の半画角θの間には、次の（１）式の関係が成立する。
Ｌ’／２  ＝  ｆ’tanθ            ・・・（１）
【００２７】
ＣＰＵ４により、上記の（１）式により算出される被写体２１のサイズＬ’を、撮像素子２の一辺の長さＬにおける記録画素数で除することで、撮像素子２の単位記録画素（１記録画素）当たりの被写体サイズが算出される。
【００２８】
上記の被写体２１の半画角θおよび撮影距離ｆ’は、フォーカスレンズ１２の光軸方向におけるレンズ位置を示すＡＦ（オートフォーカス）レンズポジション、および、ズームレンズ１１の光軸方向におけるレンズ位置を示すズームポジションに基づいて、それらの値が定まる。本実施形態では、これらの値はＡＦレンズポジションおよびズームポジションに応じたテーブルとして予めメモリに記録されており、ＣＰＵ４は、このテーブルを参照することで、各ポジションから直ちに半画角θおよび撮影距離ｆ’の各値を得ることができる。
【００２９】
単位記録画素当たりの被写体サイズの算出に必要な上記のθ、ｆ’の情報は、撮影画像の画像データと共に上述した記録媒体１７に記録される。記録媒体１７は、後述する単位サイズ算出手段による単位記録画素当たりの被写体サイズの算出に必要な情報（θ、ｆ’）を、撮像素子２に投影された被写体２１の撮影画像と共に記録する記録手段を構成している。
【００３０】
ＣＰＵ４は、光学レンズ系１を構成するズームレンズ１１およびフォーカスレンズ１２の各レンズ位置から得られる、被写体２１とこの被写体２１が光学レンズ系１を介して投影される撮像素子２との間の撮影距離ｆ’、および光学レンズ系１によって撮像素子２に投影される被写体２１の半画角θに基づいて、撮像素子２に投影される被写体２１のサイズＬ’を（１）式によって算出する被写体サイズ算出手段を構成していると共に、この被写体サイズ算出手段によって算出される被写体２１のサイズＬ’を、被写体２１が投影された撮像素子２の記録画素数ｍで除して、撮像素子２の単位記録画素当たりの被写体サイズＬ’／ｍを算出する単位サイズ算出手段を構成している。本実施形態では、この単位サイズ算出手段は、被写体サイズ算出手段によって算出される被写体２１のサイズＬ’を、被写体２１が投影された撮像素子２の記録画素数ｍで除したものＬ’／ｍを、電子ズーム手段により拡大される被写体２１の撮影画像の拡大倍率ｎでさらに除して、撮像素子２の単位記録画素当たりの被写体サイズＬ’／ｍｎを算出する。また、ＣＰＵ４は、液晶モニタ７の６４０ｐｘ×４８０ｐｘ、３２０ｐｘ×２４０ｐｘなどといった表示画素サイズの、撮像素子２の４０００×２０００といった記録画素サイズに対する比Ｒ（例えば６４０／４０００，４８０／２０００）に、記録媒体１７に記録された単位記録画素当たりの被写体サイズの算出に必要な情報（θ、ｆ’）を基に単位サイズ算出手段によって算出される単位記録画素当たりの被写体サイズＬ’／ｍを乗じて、液晶モニタ７の単位表示画素当たりの表示サイズＲＬ’／ｍを算出する表示サイズ算出手段も構成している。
【００３１】
また、操作部１０を構成する十字キーは、液晶モニタ７によって再生表示される被写体２１の撮影画像の任意の２点を、液晶モニタ７に表示されるカーソルによって指定する指定手段を構成している。また、ＣＰＵ４は、この十字キーによって指定された２点間の表示画素数Ｐに、表示サイズ算出手段によって算出される単位表示画素当たりの表示サイズＲＬ’／ｍを乗じて、十字キーによって指定された２点間の被写体サイズＰＲＬ’／ｍを算出する２点間サイズ算出手段を構成していると共に、この２点間サイズ算出手段によって算出された被写体サイズＰＲＬ’／ｍを液晶モニタ７にスケールや数値で表示させる表示手段を構成している。
【００３２】
図４は、本実施形態のデジタルカメラによる撮影の際に、ＣＰＵ４によって行われる撮影時処理の概略を示すフローチャートである。
【００３３】
この撮影時処理では、まず、ＣＰＵ４は、撮影者によってレリーズボタンが操作されて撮影が開始されたか否かを判別する（図４，Ｓ１参照）。撮影者によってレリーズボタンが操作されて撮影が開始されると、Ｓ１の判別は“ＹＥＳ”となり、ＣＰＵ４は、次に、ＡＦ処理（オートフォーカス処理）を開始させる（Ｓ２）。ＡＦ処理では、ＣＰＵ４は、位置検出部１５によって検出される位置信号に基づいてフォーカスレンズ１２の位置をステッピングモータ１６で制御し、被写体２１が撮像素子２の受光面２ａに結像してピントが合うように、フォーカスレンズ１２を光軸上で移動させる処理を行う。続いて、ＣＰＵ４は、ＡＦ合焦になったか、すなわちＳ２のＡＦ処理で被写体２１にピントが合う位置にフォーカスレンズ１２が移動したか否かを判別する（Ｓ３）。この判別が“ＮＯ”である場合、ＣＰＵ４は、引き続き被写体２１のピントが合うようにフォーカスレンズ１２を移動させて、ピント合わせを行う。ＡＦ合焦になってＳ３の判別が“ＹＥＳ”になると、ＣＰＵ４は、シャッターを開いて撮像素子２の受光面２ａに被写体を投影させて、撮影処理を行う（Ｓ４）。
【００３４】
次に、ＣＰＵ４は、被写体２１のサイズ（距離）の算出に必要な被写体２１の半画角θおよび撮影距離ｆ’の撮影情報を、予め用意されている前述したテーブルを参照して取得する（Ｓ５）。続いて、ＣＰＵ４は、Ｓ５で取得した撮影情報がヘッダー部に格納された、被写体２１の撮影画像データを含む画像ファイルを生成し、この画像ファイルを記録媒体１７に記録する（Ｓ６）。Ｓ６の処理が終了すると、撮影時処理は終了する。
【００３５】
図５は、液晶モニタ７に撮影画像を再生表示させてＣＰＵ４により行われる再生時処理の概略を示す図である。
【００３６】
この再生時処理では、まず、ＣＰＵ４は、液晶モニタ７において撮影画像の再生表示が開始されたか否かを判別する（図５，Ｓ１１参照）。撮影画像の再生表示が開始されてＳ１１の判別が“ＹＥＳ”になると、ＣＰＵ４は、図４，Ｓ６の処理で記録媒体１７に記録された撮影画像データおよび撮影情報を、記録媒体１７から読み出す処理を行う（Ｓ１２）。続いて、ＣＰＵ４は、Ｓ１２で読み出した撮影情報に含まれる被写体２１の半画角θおよび撮影距離ｆ’に基づいて、撮像素子２における撮影画像の単位記録画素当たりの被写体２１のサイズを算出する（Ｓ１３）。具体的には、（１）式で算出された被写体２１のサイズＬ’を撮像素子２の記録画素数ｍで除することで、単位記録画素当たりの被写体２１のサイズＬ’／ｍを算出する。また、電子ズームによって被写体２１の撮影画像が拡大されている場合には、（１）式で算出した被写体２１のサイズＬ’を撮像素子２の記録画素数ｍで除したものＬ’／ｍを、電子ズームにより拡大される被写体２１の撮影画像の拡大倍率ｎでさらに除することで、単位記録画素当たりの被写体２１のサイズＬ’／ｍｎを算出する。
【００３７】
次に、ＣＰＵ４は、Ｓ１３で算出した撮像素子２における撮影画像の単位記録画素当たりの被写体サイズＬ’／ｍまたはＬ’／ｍｎを、液晶モニタ７における再生時の撮影画像の単位表示画素（１画素）当たりのサイズ（距離）に変換する処理を行う（Ｓ１４）。具体的には、ＣＰＵ４は、液晶モニタ７の表示画素サイズの撮像素子２の記録画素サイズに対する比Ｒに、Ｓ１３で算出した撮影画像の単位記録画素当たりの被写体サイズＬ’／ｍまたはＬ’／ｍｎを乗じて、液晶モニタ７における再生時の撮影画像の単位表示画素当たりのサイズＲＬ’／ｍまたはＲＬ’／ｍｎを算出する。
【００３８】
次に、ＣＰＵ４は、十字キーに対する操作によって、液晶モニタ７に再生表示される撮影画像の任意の２点の位置が指定済みになっているか否かを判別する（Ｓ１５）。このＳ１５の判別処理は、“ＹＥＳ”になるまで繰り返し行われる。液晶モニタ７に再生表示される撮影画像の任意の２点の位置が指定されて、Ｓ１５の判別が“ＹＥＳ”になると、ＣＰＵ４は、Ｓ１５で指定された２点間の撮影時の被写体２１のサイズ（距離）を算出する（Ｓ１６）。
【００３９】
例えば、図６（ａ）に示すように、上述した人物２１Ａ，２１Ｂ，２１Ｃからなる被写体２１の撮影された撮影画像が液晶モニタ７において再生表示されている場合に、中央部に表示される人物２１Ｂの頭部，足部にそれぞれカーソルが合わされた状態で十字キーが操作されて、２点Ａ，Ｂが指定されると、ＣＰＵ４は、液晶モニタ７の表示面をｘｙ平面としたときの２点Ａ，Ｂの座標をそれぞれＡ（ｘ１，ｙ１），Ｂ（ｘ２，ｙ２）として、２点ＡＢ間のｘ方向の成分（ｘ２−ｘ１）およびｙ方向の成分（ｙ２−ｙ１）においてそれぞれ含まれる表示画素数Ｐ１，Ｐ２を算出する。そして、算出した各方向の表示画素数Ｐ１，Ｐ２に、Ｓ１４で算出した単位表示画素当たりのサイズを乗じたものをそれぞれＸ，Ｙとして、指定された２点間のサイズ（距離）ＬＡＢを、次の（２）式により算出する。
ＬＡＢ  ＝（Ｘ２＋Ｙ２）１／２          ・・・（２）
【００４０】
表示画面の右下方には、上述したＳ１４の処理で算出された単位表示画素当たりの被写体サイズに基づいて、１目盛りが２０ｃｍに設定されたスケール（目盛り）が表示されている。
【００４１】
続いて、ＣＰＵ４は、Ｓ１６で算出した２点間の撮影時の被写体サイズ（距離）を、液晶モニタ７に距離表示する（Ｓ１７）。例えば、上記の例の場合には、図６（ａ）に示すように、人物２１Ｂの頭部および足部間にサイズ（距離）ＬＡＢを表示する。Ｓ１７の処理が終了すると、再生時処理は終了する。
【００４２】
また、被写体２１の指定された２点間のサイズＬＡＢの算出は、次のように、液晶モニタ７に表示される被写体２１を拡大表示させてから行うこともできる。
【００４３】
図６（ｂ）は、図６（ａ）に点線枠７ａで示す部分が２倍に拡大されて液晶モニタ７に表示された状態を示している。同図（ｂ）に示すように、表示画面の右下方に表示されるスケール（目盛り）は、１目盛りが１０ｃｍになっている。このように人物２１Ｂの被写体が２倍に拡大された状態で２点Ａ，Ｂが指定された場合においても、図５，Ｓ１６の処理と同様に、指定された２点間のサイズＬＡＢが上述した（２）式に基づいて算出され、Ｓ１７の処理と同様にサイズＬＡＢが表示される。
【００４４】
このような本実施形態によるデジタルカメラによれば、上述したように、図４，Ｓ５の処理で、予め用意されたテーブルを参照することにより、ＡＦレンズポジションおよびズームポジションから、被写体２１と光学レンズ系１との間の撮影距離ｆ’、および被写体２１の半画角θが得られ（図３参照）、単位記録画素当たりの被写体サイズの算出に必要な情報であるこれらθ，ｆ’は、撮像素子２に投影された被写体２１の撮影画像と共に記録媒体１７によって記録される（図４，Ｓ６参照）。そして、これら撮影距離ｆ’および半画角θに基づいて被写体サイズ算出手段により被写体２１のサイズＬ’が（１）式によって算出され、算出された被写体２１のサイズＬ’が、単位サイズ算出手段により、被写体２１が投影された撮像素子２の記録画素数ｍで除されて、撮像素子２の単位記録画素当たりの被写体サイズＬ’／ｍが算出される（図５，Ｓ１３参照）。このため、被写体２１の撮影画像を液晶モニタ７に再生表示するときに、記録媒体１７によって記録された上記の撮影情報に基づいて、単位記録画素当たりの被写体サイズＬ’／ｍから被写体のサイズＬ’を正確に算出することが可能となる。よって、従来の、比較物と被写体とを一緒に撮影して、比較物との対比のうえで被写体のサイズを把握する場合や、スルー画像において指定された点間の長さが測定される場合に比べて、被写体２１のサイズを高い精度で測定することができるようになる。また、撮影時には、単位記録画素当たりの被写体サイズの情報の算出に必要な情報（θ，ｆ’）の記録処理だけがカメラ機能として行われ、撮影者は、従来のカメラのように、スケール（目盛り）を表示させるＯＮ／ＯＦＦの設定操作や、複数の点を指定する操作などのカメラ操作を行う必要がないため、撮影時の操作が煩わしくなってしまうことが防止される。
【００４５】
また、本実施形態では、電子ズーム手段により被写体２１の撮影画像が拡大される場合には、被写体サイズ算出手段によって算出される被写体２１のサイズＬ’を撮像素子２の記録画素数ｍで除したものＬ’／ｍを、電子ズーム手段の拡大倍率ｎでさらに除することで、撮像素子２の単位記録画素当たりの被写体サイズＬ’／ｍｎが算出される（図５，Ｓ１３参照）。このため、電子ズーム手段により被写体２１の撮影画像が拡大される場合にも、撮像素子２の単位記録画素当たりの被写体サイズが正確に算出される。
【００４６】
また、本実施形態では、表示サイズ算出手段により、表示画素サイズの記録画素サイズに対する比Ｒに、単位サイズ算出手段によって算出される単位記録画素当たりの被写体サイズＬ’／ｍを乗じることで、液晶モニタ７の単位表示画素当たりの表示サイズＲＬ’／ｍが算出される（図５，Ｓ１４参照）。このため、液晶モニタ７によって再生表示される撮影画像中における被写体２１のサイズを、表示サイズ算出手段によって算出された単位表示画素当たりの表示サイズＲＬ’／ｍに基づいて、算出することが可能となる。また、液晶モニタ７により撮影画像が再生表示されているときに、表示サイズ算出手段により算出される単位表示画素当たりの表示サイズＲＬ’／ｍに基づいて、再生表示される撮影画像に図６に示すようなスケールや、被写体２１の表示サイズの情報を表示させたりするなどして、再生表示画像を見る者の好みに合わせた表示画像にすることが可能になる。
【００４７】
また、本実施形態では、十字キーによって指定された被写体２１Ｂの撮影画像の任意の２点Ａ（ｘ１，ｙ１），Ｂ（ｘ２，ｙ２）間の表示画素数Ｐ１，Ｐ２に、撮像素子２の単位記録画素当たりの被写体サイズＬ’／ｍを基に表示サイズ算出手段によって算出される単位表示画素当たりの表示サイズＲＬ’／ｍを乗じることで、十字キーによって指定された２点間のサイズＬＡＢが２点間サイズ算出手段によって算出される（図５，Ｓ１６、図６（ａ）、（２）式参照）。算出された２点間のサイズＬＡＢは、表示手段によって液晶モニタ７に表示させられる（図５，Ｓ１７参照）。このため、被写体２１Ｂの任意の２点Ａ，Ｂ間のサイズＬＡＢは、撮像素子２の単位記録画素当たりの被写体サイズＬ’／ｍを基に算出されるため、従来のスルー画像で指定された長さが測定される場合よりも正確に算出されるようになる。また、撮影画像の再生時に任意の２点Ａ，Ｂを指定するため、測定する被写体の箇所および種類は従来のカメラのように限定されず、所望の被写体の所望の任意の２点間のサイズを測定することが可能である。
【００４８】
また、本実施形態によるデジタルカメラでは、液晶モニタ７によって再生表示される被写体２１Ｂの撮影画像を拡大する機能を有するので、単位表示画素当たりの表示サイズＲＬ’／ｍが拡大表示の表示倍率に応じて小さくなる（図６（ｂ）参照）。このため、この拡大機能により被写体２１Ｂの撮影画像が拡大された状態では、撮影画像を拡大しない場合に比べて、十字キーにより任意の２点Ａ，Ｂを細かく指定することができると共に、２点間サイズ算出手段により算出される表示サイズの精度を向上させることが可能になる。
【００４９】
なお、上記実施形態では、単位記録画素当たりの被写体サイズの算出に必要な情報であるθ，ｆ’が撮影画像と共に記録媒体１７によって記録される場合を説明したが（図４，Ｓ６参照）、図５，Ｓ１３の処理のように算出される単位記録画素当たりの被写体サイズＬ’／ｍの情報自体が、被写体２１の撮影画像と共に予め記録媒体１７によって記録されるようにしてもよい。この構成によれば、被写体２１の撮影画像を液晶モニタ７に再生表示するときに、図５，Ｓ１２の処理で、記録媒体１７に記録された単位記録画素当たりの被写体サイズＬ’／ｍの情報を読み出して、単位記録画素当たりの被写体サイズＬ’／ｍから被写体のサイズＬ’を正確に算出することが可能となる。
【００５０】
また、上記実施形態では、液晶モニタ７において再生表示される撮影画像の任意の２点の指定が、十字キーに対する操作によって行われる場合を説明したが、本発明はこれに限られるものではない。例えば、任意の２点の指定が、液晶モニタ７の表面に設けられたタッチパネルに対する操作入力によって行われる構成とすることも可能である。この構成によれば、被写体２１の再生表示画像を見る者は、被写体２１の撮影画像の所望の２点間を結ぶ曲線経路も指定でき、所望の２点間の直線距離だけでなく、２点間の曲線経路の距離をも測定することができる。よって、被写体２１の撮影画像の２点間の種々の経路に沿う被写体サイズを容易に得ることが可能になる。
【００５１】
また、上記実施形態では、ズーム機能が、光学ズームおよび電子ズームの併用により行われる場合を説明したが、本発明はこれに限られるものではない。ズーム機能は、光学ズームまたは電子ズームのいずれか一方だけが用いられて行われるものであってもよい。また、ズーム機能を一切備えない構成とすることも可能である。
【産業上の利用可能性】
【００５２】
上記実施形態においては、本発明をデジタルカメラに適用した場合について説明したが、動画像を撮影するデジタルビデオカメラを静止画像を撮影するデジタルカメラに用いる場合を始めとして、被写体を撮像レンズによって撮像素子に投影して撮像する他の種々の撮影装置をデジタルカメラとして用いる場合に本発明を適用することも可能である。このような装置に本発明を適用した場合においても、上記実施形態と同様な作用効果が奏される。
【図面の簡単な説明】
【００５３】
【図１】本実施形態によるデジタルカメラの構成を示すブロック図である。
【図２】（ａ）は、本実施形態によるデジタルカメラの液晶モニタの表示面の概略構成を示す図、（ｂ）は、本実施形態によるデジタルカメラの撮像素子の受光面の概略構成を示す図である。
【図３】被写体が光学レンズ系を介して撮像素子に投影された状態を概念的に示した概略図である。
【図４】本実施形態のデジタルカメラによる撮影の際に、ＣＰＵによって行われる撮影時処理の概略を示すフローチャートである。
【図５】本実施形態のデジタルカメラにおいて、液晶モニタに撮影画像を再生表示させてＣＰＵにより行われる再生時処理の概略を示す図である。
【図６】（ａ）は、本実施形態のデジタルカメラにおいて、撮影画像が液晶モニタにおいて再生表示された状態を示す図であり、（ｂ）は、（ａ）に点線枠で示す部分が拡大されて液晶モニタにおいて再生表示された状態を示す図である。
【符号の説明】
【００５４】
１…光学レンズ系
２…撮像素子
３…Ａ／Ｄ変換部
４…ＣＰＵ
５…画像処理部
６…バッファメモリ
７…液晶モニタ
８…Ｉ／Ｆ部
１０…操作部
１１…ズームレンズ
１２…フォーカスレンズ
１３，１５…位置検出部
１４，１６…ステッピングモータ
２１…被写体
２１Ａ，２１Ｂ，２１Ｃ…人物
４１…表示画素
４２…記録画素
θ…半画角
ｆ’…撮影距離
Ｌ’…被写体のサイズ
ＬＡＢ…指定された２点間のサイズ
【図１】
2010050597.tif 000003
【図２】
2010050597.tif 000004
【図３】
2010050597.tif 000005
【図４】
2010050597.tif 000006
【図５】
2010050597.tif 000007
【図６】
2010050597.tif 000008